(57)【要約】  無線通信システムにおいて例外的な場合にサイドリンク送信を行う方法及び装置が提供される。ＵＥ（ｕｓｅｒ  ｅｑｕｉｐｍｅｎｔ）は、複数の搬送波上で一般資源プール（ｎｏｒｍａｌ  ｒｅｓｏｕｒｃｅ  ｐｏｏｌ）及び例外的資源プールに関する情報を受信する。前記ＵＥは、前記複数の搬送波上の前記一般資源プールのうち、少なくとも１つの一般資源プールを選択し、前記少なくとも１つの一般資源プールを用いてサイドリンク送信を行う。前記例外的な場合の発生、すなわち、無線リンク失敗（ＲＬＦ；ｒａｄｉｏ  ｌｉｎｋ  ｆａｉｌｕｒｅ）、ハンドオーバー、アイドル状態から連結状態への遷移、またはセル内の専用サイドリンク資源プールの変更を探知時、前記ＵＥは、前記複数の搬送波上の前記例外的資源プールのうち、前記少なくとも１つの一般資源プールにマッピングされる少なくとも１つの例外的資源プールを選択し、前記少なくとも１つの例外的資源プールを用いて前記サイドリンク送信を行う。【選択図】図６
2020528709.tif 000002
【特許請求の範囲】
【請求項１】
無線通信システムにおいてＵＥ（ｕｓｅｒ  ｅｑｕｉｐｍｅｎｔ）により例外的な場合にサイドリンク送信を行う方法であって、
複数の搬送波上で一般資源プール（ｎｏｒｍａｌ  ｒｅｓｏｕｒｃｅ  ｐｏｏｌ）及び例外的資源プールに関する情報を受信するステップと、
前記複数の搬送波上の前記一般資源プールのうち、少なくとも１つの一般資源プールを選択するステップと、
前記少なくとも１つの一般資源プールを用いてサイドリンク送信を行うステップと、
前記例外的な場合の発生を探知するステップと、
前記複数の搬送波上の前記例外的資源プールのうち、少なくとも１つの例外的資源プールを選択するステップと、
前記少なくとも１つの例外的資源プールを用いて前記サイドリンク送信を行うステップと、を含んでなり、
前記少なくとも１つの例外的資源プールは、前記少なくとも１つの一般資源プールにマッピングされることを特徴とする、方法。
【請求項２】
前記情報は、前記一般資源プールと前記例外的資源プールとの間のマッピング関係に関する情報を含むことを特徴とする、請求項１に記載の方法。
【請求項３】
前記情報は、前記一般資源プールに対する１つ以上の搬送波と前記例外的資源プールに対する１つ以上の搬送波との間のマッピング関係に関する情報を含むことを特徴とする、請求項２に記載の方法。
【請求項４】
前記情報は、前記例外的資源プールに対して集成された搬送波の個数または前記例外的資源プールの個数に関する情報を含むことを特徴とする、請求項１に記載の方法。
【請求項５】
前記少なくとも１つの一般資源プールに対する搬送波は、前記少なくとも１つの例外的資源プールに対する搬送波と同一であることを特徴とする、請求項１に記載の方法。
【請求項６】
前記少なくとも１つの一般資源プールに対する搬送波の個数は、前記少なくとも１つの例外的資源プールに対する搬送波の個数と同一であることを特徴とする、請求項１に記載の方法。
【請求項７】
前記例外的な場合は、
無線リンク失敗（ＲＬＦ；ｒａｄｉｏ  ｌｉｎｋ  ｆａｉｌｕｒｅ）、ハンドオーバー、アイドル（ｉｄｌｅ）状態から連結状態への遷移、或いは、
セル内の専用サイドリンク資源プールの変更のうち１つであることを特徴とする、請求項１に記載の方法。
【請求項８】
前記一般資源プールと前記例外的資源プールとの間のマッピング関係は、前記ＵＥのＵＳＩＭ（ｕｎｉｖｅｒｓａｌ  ｓｕｂｓｃｒｉｐｔｉｏｎ  ｉｄｅｎｔｉｆｉｃａｔｉｏｎ  ｍｏｄｕｌｅ）に事前構成されたり、格納されたりすることを特徴とする、請求項１に記載の方法。
【請求項９】
無線通信システムのＵＥ（ｕｓｅｒ  ｅｑｕｉｐｍｅｎｔ）であって、
メモリと、
送受信部と、
前記メモリ及び前記送受信部に動作可能に結合されるプロセッサと、を備えてなり、
前記プロセッサは、
複数の搬送波上で一般資源プール（ｎｏｒｍａｌ  ｒｅｓｏｕｒｃｅ  ｐｏｏｌ）及び例外的資源プールに関する情報を受信するように前記送受信部を制御し、
前記複数の搬送波上の前記一般資源プールのうち、少なくとも１つの一般資源プールを選択し、
前記少なくとも１つの一般資源プールを用いてサイドリンク送信を行うように前記送受信部を制御し、
前記例外的な場合の発生を探知し、
前記複数の搬送波上の前記例外的資源プールのうち、少なくとも１つの例外的資源プールを選択し、及び
前記少なくとも１つの例外的資源プールを用いて前記サイドリンク送信を行うように前記送受信部を制御し、
前記少なくとも１つの例外的資源プールは、前記少なくとも１つの一般資源プールにマッピングされることを特徴とする、ＵＥ。
【請求項１０】
前記情報は、前記一般資源プールと前記例外的資源プールとの間のマッピング関係に関する情報を含んでなることを特徴とする、請求項９に記載のＵＥ。
【請求項１１】
前記情報は、前記一般資源プールに対する１つ以上の搬送波と前記例外的資源プールに対する１つ以上の搬送波との間のマッピング関係に関する情報を含んでなることを特徴とする、請求項１０に記載のＵＥ。
【請求項１２】
前記情報は、前記例外的資源プールに対して集成された搬送波の個数又は前記例外的資源プールの個数に関する情報を含んでなることを特徴とする、請求項９に記載のＵＥ。
【請求項１３】
前記少なくとも１つの一般資源プールに対する搬送波は、前記少なくとも１つの例外的資源プールに対する搬送波と同一であることを特徴とする、請求項９に記載のＵＥ。
【請求項１４】
前記少なくとも１つの一般資源プールに対する搬送波の個数は、前記少なくとも１つの例外的資源プールに対する搬送波の個数と同一であることを特徴とする、請求項９に記載のＵＥ。
【請求項１５】
前記例外的な場合は、無線リンク失敗（ＲＬＦ；ｒａｄｉｏ  ｌｉｎｋ  ｆａｉｌｕｒｅ）、ハンドオーバー、アイドル（ｉｄｌｅ）状態から連結状態への遷移、及びセル内の専用サイドリンク資源プールの変更からなる群から選択されてなる少なくとも１つであることを特徴とする、請求項９に記載のＵＥ。
【発明の詳細な説明】
【技術分野】
【０００１】
本開示は、無線通信に関し、より詳細には、無線通信システムにおいて複数の搬送波上でサイドリンク送信を行うための方法及び装置に関する。
【背景技術】
【０００２】
３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）は、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
ＩＴＵ（ｉｎｔｅｒｎａｔｉｏｎａｌ  ｔｅｌｅｃｏｍｍｕｎｉｃａｔｉｏｎ  ｕｎｉｏｎ）及び３ＧＰＰでＮＲ（ｎｅｗ  ｒａｄｉｏ  ａｃｃｅｓｓ  ｔｅｃｈｎｏｌｏｇｙ）システムに対する要求事項及び仕様を開発する作業が始まった。ＮＲシステムは、ｎｅｗ  ＲＡＴなどの他の名称で呼ばれることもある。３ＧＰＰは、緊急な市場の要求とＩＴＵ−Ｒ（ＩＴＵ  ｒａｄｉｏ  ｃｏｍｍｕｎｉｃａｔｉｏｎ  ｓｅｃｔｏｒ）ＩＭＴ（ｉｎｔｅｒｎａｔｉｏｎａｌ  ｍｏｂｉｌｅ  ｔｅｌｅｃｏｍｍｕｎｉｃａｔｉｏｎｓ）−２０２０プロセスが提示するより長期的な要求事項を全て適時に満たすＮＲを成功的に標準化するために必要な技術構成要素を識別して開発しなければならない。また、ＮＲは、遠い未来にも無線通信のために利用されることができる少なくとも１００ＧＨｚに達する任意のスペクトラム帯域が使用可能でなければならない。
【０００４】
ＮＲは、ｅＭＢＢ（ｅｎｈａｎｃｅｄ  ｍｏｂｉｌｅ  ｂｒｏａｄｂａｎｄ）、ｍＭＴＣ（ｍａｓｓｉｖｅ  ｍａｃｈｉｎｅ−ｔｙｐｅ−ｃｏｍｍｕｎｉｃａｔｉｏｎｓ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）などを含む全ての配置シナリオ、使用シナリオ、要求事項を扱う単一技術フレームワークを対象とする。ＮＲは、本質的に順方向互換性があるべきである。
【発明の概要】
【発明が解決しようとする課題】
【０００５】
広く普及されたＬＴＥ基盤のネットワークが、自動車産業が「連結された自動車（ｃｏｎｎｅｃｔｅｄ  ｃａｒ）」という概念を実現できる機会を提供するので、ＬＴＥ基盤Ｖ２Ｘ（ｖｅｈｉｃｌｅ−ｔｏ−ｅｖｅｒｙｔｈｉｎｇ）が市場から緊急に求められている。特に、Ｖ２Ｖ（ｖｅｈｉｃｌｅ−ｔｏ−ｖｅｈｉｃｌｅ）通信のための市場は、研究プロジェクト、フィールドテスト、及び規制業務のような関連活動が米国、ヨーロッパ、日本、韓国、及び中国のような一部国家または地域で既に進行中であるか、始まると予想される。
【０００６】
３ＧＰＰは、このような状況に対応するために、ＬＴＥ基盤Ｖ２Ｘに関する研究及び仕様作業を積極的に進めている。ＬＴＥ基盤Ｖ２Ｘのうち、ＰＣ５基盤Ｖ２Ｖについての議論が最優先的に進められている。ＬＴＥサイドリンク（ＳＬ；ｓｉｄｅｌｉｎｋ）資源割当、物理階層構造、及び同期化などの改善とともに、ＬＴＥのＰＣ５インターフェースを基盤としてＶ２Ｖサービスを支援することが可能である。
【０００７】
Ｖ２Ｘサイドリンク通信のためのサイドリンクの搬送波集成（ｃａｒｒｉｅｒ  ａｇｇｒｅｇａｔｉｏｎ、ＣＡ）が支援される。このような場合、集成された搬送波のうち、搬送波を選択するための方法が、特に例外的な場合に必要である。
【課題を解決するための手段】
【０００８】
一態様において、無線通信システムにおいてＵＥ（ｕｓｅｒ  ｅｑｕｉｐｍｅｎｔ）により例外的な場合にサイドリンク送信を行う方法が提供される。前記方法は、複数の搬送波上で一般資源プール（ｎｏｒｍａｌ  ｒｅｓｏｕｒｃｅ  ｐｏｏｌ）及び例外的資源プールに関する情報を受信するステップ、前記複数の搬送波上の前記一般資源プールのうち、少なくとも１つの一般資源プールを選択するステップ、前記少なくとも１つの一般資源プールを用いてサイドリンク送信を行うステップ、前記例外的な場合の発生を探知するステップ、前記複数の搬送波上の前記例外的資源プールのうち、少なくとも１つの例外的資源プールを選択するステップ、及び前記少なくとも１つの例外的資源プールを用いて前記サイドリンク送信を行うステップを含む。前記少なくとも１つの例外的資源プールは、前記少なくとも１つの一般資源プールにマッピングされる。
【０００９】
他の態様において、無線通信システムのＵＥ（ｕｓｅｒ  ｅｑｕｉｐｍｅｎｔ）が提供される。前記ＵＥは、メモリ、送受信部、前記メモリ及び前記送受信部に動作可能に結合されるプロセッサを備える。前記プロセッサは、複数の搬送波上で一般資源プール（ｎｏｒｍａｌ  ｒｅｓｏｕｒｃｅ  ｐｏｏｌ）及び例外的資源プールに関する情報を受信するように前記送受信部を制御し、前記複数の搬送波上の前記一般資源プールのうち、少なくとも１つの一般資源プールを選択し、前記少なくとも１つの一般資源プールを用いてサイドリンク送信を行うように前記送受信部を制御し、前記例外的な場合の発生を探知し、前記複数の搬送波上の前記例外的資源プールのうち、少なくとも１つの例外的資源プールを選択し、及び前記少なくとも１つの例外的資源プールを用いて前記サイドリンク送信を行うように前記送受信部を制御する。前記少なくとも１つの例外的資源プールは、前記少なくとも１つの一般資源プールにマッピングされる。
【発明の効果】
【００１０】
Ｖ２Ｘサイドリンク通信のためのサイドリンクのＣＡが支援されれば、例外的な場合に対する搬送波または資源が効率的に選択されることができる。
【図面の簡単な説明】
【００１１】
【図１】図１は、本開示の技術的特徴が適用され得る無線通信システムの一例を示す。
【図２】図２は、本開示の技術的特徴が適用され得る無線通信システムの他の例を示す。
【図３】図３は、本開示の技術的特徴が適用され得るユーザ平面プロトコルスタックのブロック図を示す。
【図４】図４は、本開示の技術的特徴が適用され得る制御平面プロトコルスタックのブロック図を示す。
【図５】図５は、本開示の一実施形態に係る１つ以上の例外的資源プール上でサイドリンク送信を行う方法の例を示す。
【図６】図６は、本開示の一実施形態に係る１つ以上の例外的資源プール上でサイドリンク送信を行う方法の他の例を図示する。
【図７】図７は、本開示の実施形態が実現される無線通信システムを示す。
【発明を実施するための形態】
【００１２】
以下で説明する技術的特徴は、３ＧＰＰ（３ｒｄ  ｇｅｎｅｒａｔｉｏｎ  ｐａｒｔｎｅｒｓｈｉｐ  ｐｒｏｊｅｃｔ）の標準化機構による通信規格や、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）の標準化機構による通信規格等で使用されることができる。例えば、３ＧＰＰの標準化機構による通信規格は、ＬＴＥ（ｌｏｎｇ  ｔｅｒｍ  ｅｖｏｌｕｔｉｏｎ）及び／又はＬＴＥシステムの進化を含む。ＬＴＥシステムの進化は、ＬＴＥ−Ａ（ａｄｖａｎｃｅｄ）、ＬＴＥ−Ａ  Ｐｒｏ、及び／又は５Ｇ  ＮＲ（ｎｅｗ  ｒａｄｉｏ）を含む。ＩＥＥＥの標準化機構による通信規格は、ＩＥＥＥ  ８０２．１１ａ／ｂ／ｇ／ｎ／ａｃ／ａｘなどのＷＬＡＮ（ｗｉｒｅｌｅｓｓ  ｌｏｃａｌ  ａｒｅａ  ｎｅｔｗｏｒｋ）システムを含む。前述したシステムは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、及び／又はＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの様々な多重アクセス技術をダウンリンク（ＤＬ；ｄｏｗｎｌｉｎｋ）及び／又はアップリンク（ＵＬ；ｕｐｌｉｎｋ）に使用する。例えば、ＤＬにはＯＦＤＭＡのみを使用し、ＵＬにはＳＣ−ＦＤＭＡのみが使用されることができる。或いは、ＤＬ及び／又はＵＬにＯＦＤＭＡとＳＣ−ＦＤＭＡとが混用することもある。
【００１３】
図１は、本開示の技術的特徴が適用され得る無線通信システムの一例を示す。具体的に、図１は、Ｅ−ＵＴＲＡＮ（ｅｖｏｌｖｅｄ−ｕｎｉｖｅｒｓａｌ  ｔｅｒｒｅｓｔｒｉａｌ  ｒａｄｉｏ  ａｃｃｅｓｓ  ｎｅｔｗｏｒｋ）を基盤とするシステムアーキテクチャである。上述したＬＴＥは、Ｅ−ＵＴＲＡＮを使用するＥ−ＵＭＴＳ（ｅｖｏｌｖｅｄ−ＵＭＴＳ）の一部である。
【００１４】
図１に示すように、無線通信システムは、１つ以上のＵＥ（ｕｓｅｒ  ｅｑｕｉｐｍｅｎｔ；１０）、Ｅ−ＵＴＲＡＮ、及びＥＰＣ（ｅｖｏｌｖｅｄ  ｐａｃｋｅｔ  ｃｏｒｅ）を含む。ＵＥ（１０）は、ユーザが携帯する通信装置をいう。ＵＥ（１０）は、固定されるか、移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器など、他の用語と呼ばれることができる。
【００１５】
Ｅ−ＵＴＲＡＮは、１つ以上のＢＳ（ｂａｓ  ｓｔａｔｉｏｎ；２０）で構成される。ＢＳ（２０）は、ＵＥ（１０）に向けたＥ−ＵＴＲＡユーザ平面及び制御平面プロトコルの終端を提供する。ＢＳ（２０）は、一般的にＵＥ（１０）と通信する固定された地点（ｆｉｘｅｄ  ｓｔａｔｉｏｎ）をいう。ＢＳ（２０）は、セル間無線資源管理（ＲＲＭ；ｒａｄｉｏ  ｒｅｓｏｕｒｃｅ  ｍａｎａｇｅｍｅｎｔ）、無線ベアラ（ＲＢ；ｒａｄｉｏ  ｂｅａｒｅｒ）制御、接続移動性制御、無線承認制御、測定構成／提供、動的資源割当（スケジューラ）などのような機能をホストする。ＢＳ（２０）は、ｅＮＢ（ｅｖｏｌｖｅｄ  ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）など、他の用語と呼ばれることができる。
【００１６】
下向きリンク（ＤＬ；ｄｏｗｎｌｉｎｋ）は、ＢＳ（２０）からＵＥ（１０）への通信を表す。上向きリンク（ＵＬ；ｕｐｌｉｎｋ）は、ＵＥ（１０）からＢＳ（２０）への通信を表す。サイドリンク（ＳＬ；ｓｉｄｅｌｉｎｋ）は、ＵＥ（１０）間の通信を表す。ＤＬにおいて、送信機は、ＢＳ（２０）の一部でありうるし、受信機は、ＵＥ（１０）の一部でありうる。ＵＬにおいて、送信機は、ＵＥ（１０）の一部でありうるし、受信機は、ＢＳ（２０）の一部でありうる。ＳＬにおいて、送信機及び受信機は、ＵＥ（１０）の一部でありうる。
【００１７】
ＥＰＣは、ＭＭＥ（ｍｏｂｉｌｉｔｙ  ｍａｎａｇｅｍｅｎｔ  ｅｎｔｉｔｙ）、Ｓ−ＧＷ（ｓｅｒｖｉｎｇ  ｇａｔｅｗａｙ）、及びＰ−ＧＷ（ｐａｃｋｅｔ  ｄａｔａ  ｎｅｔｗｏｒｋ（ＰＤＮ）  ｇａｔｅｗａｙ）を含む。ＭＭＥは、ＮＡＳ（ｎｏｎ−ａｃｃｅｓｓ  ｓｔｒａｔｕｍ）保安、アイドル状態移動性処理、ＥＰＳ（ｅｖｏｌｖｅｄ  ｐａｃｋｅｔ  ｓｙｓｔｅｍ）ベアラ制御などのような機能をホストする。Ｓ−ＧＷは、移動性アンカリングなどのような機能をホストする。Ｓ−ＧＷは、Ｅ−ＵＴＲＡＮを終端点として有するゲートウェイである。都合上、ＭＭＥ／Ｓ−ＧＷ（３０）は、単に「ゲートウェイ」と言及されるであろうが、この個体は、ＭＭＥ及びＳ−ＧＷを共に含むことと理解される。Ｐ−ＧＷは、ＵＥ  ＩＰ（Ｉｎｔｅｒｎｅｔ  ｐｒｏｔｏｃｏｌ）住所割当、パケットフィルタリングなどのような機能をホストする。Ｐ−ＧＷは、ＰＤＮを終端点として有するゲートウェイである。Ｐ−ＧＷは、外部ネットワークに連結される。
【００１８】
ＵＥ（１０）は、ＵｕインターフェースによりＢＳ（２０）に連結される。ＵＥ（１０）は、ＰＣ５インターフェースにより互いに相互連結される。ＢＳ（２０）は、Ｘ２インターフェースにより互いに相互連結される。ＢＳ（２０）は、さらにＳ１インターフェースを介してＥＰＣに連結される。より具体的には、ＭＭＥにＳ１−ＭＭＥインターフェースにより、そしてＳ−ＧＷにＳ１−Ｕインターフェースにより連結される。Ｓ１インターフェースは、ＭＭＥ／Ｓ−ＧＷとＢＳとの間の多対多関係を支援する。
【００１９】
図２は、本開示の技術的特徴が適用され得る無線通信システムの他の例を示す。具体的に、図２は、５Ｇ  ＮＲ（ｎｅｗ  ｒａｄｉｏ  ａｃｃｅｓｓ  ｔｅｃｈｎｏｌｏｇｙ）システムに基づいたシステムアーキテクチャを図示する。５Ｇ  ＮＲシステム（以下、簡単に「ＮＲ」と称する）において使用される個体は、図１において紹介された個体（例えば、ｅＮＢ、ＭＭＥ、Ｓ−ＧＷ）の一部または全ての機能を吸収できる。ＮＲシステムにおいて使用される個体は、ＬＴＥと区別するために、「ＮＧ」という名前で識別されることができる。
【００２０】
図２に示すように、無線通信システムは、１つ以上のＵＥ（１１）、ＮＧ−ＲＡＮ（ｎｅｘｔ−ｇｅｎｅｒａｔｉｏｎ  ＲＡＮ）、及び５世帯コアネットワーク（５ＧＣ）を含む。ＮＧ−ＲＡＮは、少なくとも１つのＮＧ−ＲＡＮノードで構成される。ＮＧ−ＲＡＮノードは、図１に示されたＢＳ（２０）に対応する個体である。ＮＧ−ＲＡＮノードは、少なくとも１つのｇＮＢ（２１）及び／又は少なくとも１つのｎｇ−ｅＮＢ（２２）で構成される。ｇＮＢ（２１）は、ＵＥ（１１）に向けたＮＲユーザ平面及び制御平面プロトコルの終端を提供する。Ｎｇ−ｅＮＢ（２２）は、ＵＥ（１１）に向けたＥ−ＵＴＲＡユーザ平面及び制御平面プロトコルの終端を提供する。
【００２１】
５ＧＣは、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）、ＵＰＦ（ｕｓｅｒ  ｐｌａｎｅ  ｆｕｎｃｔｉｏｎ）、及びＳＭＦ（ｓｅｓｓｉｏｎ  ｍａｎａｇｅｍｅｎｔ  ｆｕｎｃｔｉｏｎ）を含む。ＡＭＦは、ＮＡＳ保安、アイドル状態移動性処理などのような機能をホストする。ＡＭＦは、従来のＭＭＥの機能を含む個体である。ＵＰＦは、移動性アンカリング、ＰＤＵ（ｐｒｏｔｏｃｏｌ  ｄａｔａ  ｕｎｉｔ）処理のような機能をホストする。ＵＰＦは、従来のＳ−ＧＷの機能を含む個体である。ＳＭＦは、ＵＥ  ＩＰ住所割当、ＰＤＵセッション制御のような機能をホストする。
【００２２】
ｇＮＢとｎｇ−ｅＮＢとは、Ｘｎインターフェースを介して相互連結される。ｇＮＢ及びｎｇ−ｅＮＢは、さらにＮＧインターフェースを介して５ＧＣに連結される。より具体的には、ＮＧ−Ｃインターフェースを介してＡＭＦに、そしてＮＧ−Ｕインターフェースを介してＵＰＦに連結される。
【００２３】
上述したネットワーク個体間のプロトコル構造が説明される。図１及び／又は図２に示されたように、ＵＥとネットワークとの間の無線インターフェースプロトコルの階層（例えば、ＮＧ−ＲＡＮ及び／又はＥ−ＵＴＲＡＮ）は、通信システムにおいてよく知られた開放型ＯＳＩ（ｏｐｅｎ  ｓｙｓｔｅｍ  ｉｎｔｅｒｃｏｎｎｅｃｔｉｏｎ）モデルの下位３つの階層に基づいて第１の階層Ｌ１、第２の階層Ｌ２、及び第３の階層Ｌ３に分類されることができる。
【００２４】
図３は、本開示の技術的特徴が適用され得るユーザ平面プロトコルスタックのブロック図を示す。図４は、本開示の技術的特徴が適用され得る制御平面プロトコルスタックのブロック図を示す。図３及び図４に示されたユーザ／制御平面プロトコルスタックがＮＲに使用される。しかし、図３及び図４に示されたユーザ／制御平面プロトコルスタックは、ｇＮＢ／ＡＭＦをｅＮＢ／ＭＭＥに代替することにより、一般性の損失なしにＬＴＥ／ＬＴＥ−Ａで使用されることができる。
【００２５】
図３及び図４に示すように、物理（ＰＨＹ；ｐｈｙｓｉｃａｌ）階層は、Ｌ１に属する。ＰＨＹ階層は、ＭＡＣ（ｍｅｄｉａ  ａｃｃｅｓｓ  ｃｏｎｔｒｏｌ）サブ階層及び上位階層に情報伝達サービスを提供する。ＰＨＹ階層は、ＭＡＣサブ階層に送信チャネルを提供する。ＭＡＣサブ階層とＰＨＹ階層との間のデータは、送信チャネルを介して送信される。相違したＰＨＹ階層間、すなわち、送信側のＰＨＹ階層と受信側のＰＨＹ階層との間で、データは、物理チャネルを介して送信される。
【００２６】
ＭＡＣサブ階層は、Ｌ２に属する。ＭＡＣサブ階層の主なサービス及び機能は、論理チャネルと送信チャネルとの間のマッピング、１つまたは他の論理チャネルに属するＭＡＣ  ＳＤＵ（ｓｅｒｖｉｃｅ  ｄａｔａ  ｕｎｉｔ）の送信チャネル上で物理階層に伝達される送信ブロック（ＴＢ；ｔｒａｎｓｐｏｒｔ  ｂｌｏｃｋ）へのマルチプレクシングまたは送信チャネル上で物理階層から伝達されるＴＢからのジマルチプレクシング、スケジューリング情報報告、ＨＡＲＱ（ｈｙｂｒｉｄ  ａｕｔｏｍａｔｉｃ  ｒｅｐｅａｔ  ｒｅｑｕｅｓｔ）を介してのエラー訂正、動的スケジューリングを介してのＵＥ間優先順位処理、論理チャネル優先順位ＬＣＰを介しての１つのＵＥの論理チャネル間優先順位処理などを含む。ＭＡＣサブ階層は、ＲＬＣ（ｒａｄｉｏ  ｌｉｎｋ  ｃｏｎｔｒｏｌ）サブ階層に論理チャネルを提供する。
【００２７】
ＲＬＣサブ階層は、Ｌ２に属する。ＲＬＣサブ階層は、無線ベアラにより求められる様々なＱｏＳ（ｑｕａｌｉｔｙ  ｏｆ  ｓｅｒｖｉｃｅ）を保障するために、３つの送信モード、すなわち、透明モード（ＴＭ；ｔｒａｎｓｐａｒｅｎｔ  ｍｏｄｅ）、未承認モード（ＵＭ；ｕｎａｃｋｎｏｗｌｅｄｇｅｄ  ｍｏｄｅ）、及び承認モード（ＡＭ；ａｃｋｎｏｗｌｅｄｇｅｄ  ｍｏｄｅ）を支援する。ＲＬＣサブ階層の主なサービス及び機能は、送信モードに依存する。例えば、ＲＬＣサブ階層は、３つのモードの全てに対して上位階層ＰＤＵの送信を提供するが、ＡＭに対してのみＡＲＱを介してのエラー訂正を提供する。ＬＴＥ／ＬＴＥ−Ａにおいて、ＲＬＣサブ階層は、ＲＬＣ  ＳＤＵの連結（ｃｏｎｃａｔｅｎａｔｉｏｎ）、分割（ｓｅｇｍｅｎｔａｔｉｏｎ）、及び再組立（ｒｅａｓｓｅｍｂｌｙ）（ＵＭ及びＡＭデータ送信専用）、並びにＲＬＣデータＰＤＵの再分割（ｒｅ−ｓｅｇｍｅｎｔａｔｉｏｎ）（ＡＭデータ送信専用）を提供する。ＮＲにおいて、ＲＬＣサブ階層は、（ＡＭ及びＵＭに対してのみ）ＲＬＣ  ＳＤＵの分割、及び（ＡＭに対してのみ）再分割、並びに（ＡＭ及びＵＭに対してのみ）ＳＤＵの再組立を提供する。すなわち、ＮＲは、ＲＬＣ  ＳＤＵの連結を支援しない。ＲＬＣサブ階層は、ＰＤＣＰ（ｐａｃｋｅｔ  ｄａｔａ  ｃｏｎｖｅｒｇｅｎｃｅ  ｐｒｏｔｏｃｏｌ）サブ階層にＲＬＣチャネルを提供する。
【００２８】
ＰＤＣＰサブ階層は、Ｌ２に属する。ユーザ平面のためのＰＤＣＰサブ階層の主なサービス及び機能は、ヘッダ圧縮及び圧縮解除、ユーザデータ送信、重複検出、ＰＤＣＰ  ＰＤＵルーティング、ＰＤＣＰ  ＳＤＵの再送信、暗号化及び解読などを含む。制御平面のためのＰＤＣＰサブ階層の主なサービス及び機能は、暗号化及び無欠性保護、制御平面データ送信などを含む。
【００２９】
ＳＤＡＰ（ｓｅｒｖｉｃｅ  ｄａｔａ  ａｄａｐｔａｔｉｏｎ  ｐｒｏｔｏｃｏｌ）サブ階層は、Ｌ２に属する。ＳＤＡＰサブ階層は、ユーザ平面のみで定義される。ＳＤＡＰサブ階層は、ＮＲに対してのみ定義される。ＳＤＡＰの主なサービス及び機能は、ＤＬ及びＵＬパケットの両方でＱｏＳフローとＤＲＢ（ｄａｔａ  ｒａｄｉｏ  ｂｅａｒｅｒ）との間のマッピング、ＱｏＳフローＩＤ（ＱＦＩ；ＱｏＳ  ｆｌｏｗ  ＩＤ）指示を含む。ＳＤＡＰサブ階層は、５ＧＣにＱｏＳフローを提供する。
【００３０】
ＲＲＣ（ｒａｄｉｏ  ｒｅｓｏｕｒｃｅ  ｃｏｎｔｒｏｌ）階層は、Ｌ３に属する。ＲＲＣ階層は、制御平面のみで定義される。ＲＲＣ階層は、ＵＥとネットワークとの間の無線資源を制御する。このために、ＲＲＣ階層は、端末と基地局との間にＲＲＣメッセージを交換する。ＲＲＣ階層の主なサービス及び機能は、ＡＳ及びＮＡＳと関連したシステム情報の放送、ページング、ＵＥとネットワークとの間のＲＲＣ連結の確立、維持補修及び解除、キー管理を含む保安機能、無線ベアラの確立、構成、維持補修及び解除、移動性機能、ＱｏＳ管理機能、ＵＥ測定報告及び報告制御、ＮＡＳとＵＥとの間にＮＡＳメッセージ送信を含む。
【００３１】
すなわち、ＲＲＣ階層は、無線ベアラの構成、再構成、及び解除と関連して論理チャネル、送信チャネル、及び物理チャネルを制御する。無線ベアラは、ＵＥとネットワークとの間のデータ送信のために、Ｌ１（ＰＨＹ階層）及びＬ２（ＭＡＣ／ＲＬＣ／ＰＤＣＰ／ＳＤＡＰサブ階層）により提供される論理経路を意味する。無線ベアラを設定するとは、特定サービスを提供するための無線プロトコル階層及びチャネルの特性を定義し、それぞれの特定パラメータ及び動作方法を設定することを意味する。無線ベアラは、ＳＲＢ（ｓｉｇｎａｌｉｎｇ  ＲＢ）とＤＲＢ（ｄａｔａ  ＲＢ）とに区分されることができる。ＳＲＢは、制御平面でＲＲＣメッセージを送信するための経路として使用され、ＤＲＢは、ユーザ平面でユーザデータを送信するための経路として使用される。
【００３２】
ＲＲＣ状態は、端末のＲＲＣ階層がＥ−ＵＴＲＡＮのＲＲＣ階層と論理的に連結されているか否かを表す。ＬＴＥ／ＬＴＥ−Ａにおいて、ＵＥのＲＲＣ階層とＥ−ＵＴＲＡＮのＲＲＣ階層との間にＲＲＣ連結が設定されれば、ＵＥは、ＲＲＣ連結状態ＲＲＣ＿ＣＯＮＮＥＣＴＥＤにあるようになる。それとも、ＵＥは、ＲＲＣアイドル状態ＲＲＣ＿ＩＤＬＥにある。ＮＲにおいて、ＲＲＣ非活性状態ＲＲＣ＿ＩＮＡＣＴＩＶＥがさらに導入される。ＲＲＣ＿ＩＮＡＣＴＩＶＥは、様々な目的のために使用されることができる。例えば、大規模マシンタイプ通信（ＭＭＴＣ；ｍａｓｓｉｖｅ  ｍａｃｈｉｎｅ−ｔｙｐｅ  ｃｏｍｍｕｎｉｃａｔｉｏｎ）ＵＥは、ＲＲＣ＿ＩＮＡＣＴＩＶＥで効率的に管理されることができる。特定条件が満たされれば、前述した３つの状態のうち１つから他の状態に遷移がなされる。
【００３３】
ＲＲＣ状態に応じて予め決定された動作が行われることができる。ＲＲＣ＿ＩＤＬＥにおいて、ＰＬＭＮ（ｐｕｂｌｉｃ  ｌａｎｄ  ｍｏｂｉｌｅ  ｎｅｔｗｏｒｋ）選択、システム情報（ＳＩ；ｓｙｓｔｅｍ  ｉｎｆｏｒｍａｔｉｏｎ）の放送、セル再選択移動性、ＮＡＳにより構成されたコアネットワーク（ＣＮ；ｃｏｒｅ  ｎｅｔｗｏｒｋ）ページング、及びＤＲＸ（ｄｉｓｃｏｎｔｉｎｕｏｕｓ  ｒｅｃｅｐｔｉｏｎ）が行われることができる。ＵＥは、追跡領域でＵＥを固有に識別するＩＤ（ｉｄｅｎｔｉｆｉｅｒ）を割り当てられなければならない。ＢＳに格納されたＲＲＣコンテクストはない。
【００３４】
ＲＲＣ＿ＣＯＮＮＥＣＴＥＤにおいてＵＥは、ネットワーク（すなわち、Ｅ−ＵＴＲＡＮ／ＮＧ−ＲＡＮ）とのＲＲＣ連結を有する。ネットワークＣＮ連結（Ｃ／Ｕ−平面の全て）がＵＥに対してさらに設定される。ＵＥ  ＡＳコンテクストは、ネットワーク及びＵＥに格納される。ＲＡＮは、ＵＥが属するセルを知っている。ネットワークは、ＵＥとデータを送受信できる。測定を含むネットワーク制御移動性がさらに行われる。
【００３５】
ＲＲＣ＿ＩＤＬＥで行われるほとんどの動作は、ＲＲＣ＿ＩＮＡＣＴＩＶＥで行われることができる。しかし、ＲＲＣ＿ＩＤＬＥでのＣＮページングの代わりに、ＲＲＣ＿ＩＮＡＣＴＩＶＥでは、ＲＡＮページングが行われる。言い換えれば、ＲＲＣ＿ＩＤＬＥにおいて、モバイル終端（ＭＴ；ｍｏｂｉｌｅ  ｔｅｒｍｉｎａｔｉｎｇ）データに対するページングは、コアネットワークにより開始され、ページング領域は、コアネットワークにより管理される。ＲＲＣ＿ＩＮＡＣＴＩＶＥにおいて、ページングは、ＮＧ−ＲＡＮにより始まり、ＲＡＮ基盤通知領域（ＲＮＡ；ＲＡＮ−ｂａｓｅｄ  ｎｏｔｉｆｉｃａｔｉｏｎ  ａｒｅａ）は、ＮＧ−ＲＡＮにより管理される。また、ＲＲＣ＿ＩＤＬＥでのＮＡＳにより構成されたＣＮページング用ＤＲＸの代わりに、ＲＲＣ＿ＩＮＡＣＴＩＶＥでは、ＲＡＮページング用ＤＲＸがＮＧ−ＲＡＮにより構成される。一方、ＲＲＣ＿ＩＮＡＣＴＩＶＥでは、ＵＥに対して５ＧＣ−ＮＧ−ＲＡＮ連結（Ｃ／Ｕ平面の全て）が設定され、ＵＥ  ＡＳコンテクストは、ＮＧ−ＲＡＮとＵＥに格納される。ＮＧ−ＲＡＮは、ＵＥが属するＲＮＡを知っている。
【００３６】
ＮＡＳ階層は、ＲＲＣ階層の上端に位置する。ＮＡＳ制御プロトコルは、認証、移動性管理、保安制御のような機能を果たす。
【００３７】
物理チャネルは、ＯＦＤＭ処理によって変調されることができ、無線資源として時間及び周波数を用いる。物理チャネルは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルと周波数領域で複数の副搬送波とで構成される。１つのサブフレームは、時間領域で複数のＯＦＤＭシンボルで構成される。資源ブロックは、資源割当単位であり、複数のＯＦＤＭシンボルと複数の副搬送波とで構成される。また、それぞれのサブフレームは、ＰＤＣＣＨ（ｐｈｙｓｉｃａｌ  ｄｏｗｎｌｉｎｋ  ｃｏｎｔｒｏｌ  ｃｈａｎｎｅｌ）、すなわち、Ｌ１／Ｌ２制御チャネルのために、対応するサブフレームの特定ＯＦＤＭシンボル（例えば、第１のＯＦＤＭシンボル）の特定副搬送波を使用することができる。送信時間間隔（ＴＴＩ；ｔｒａｎｓｍｉｓｓｉｏｎ  ｔｉｍｅ  ｉｎｔｅｒｖａｌ）は、資源割当のためにスケジューラが使用する基本時間単位である。ＴＴＩは、１つまたは複数のスロット単位で定義されることができ、ミニスロット単位で定義されることもできる。
【００３８】
送信チャネルは、無線インターフェースを介してどのように、そしてどの特性のデータが送信されるかによって分類される。ＤＬ送信チャネルは、システム情報を送信するのに使用されるＢＣＨ（ｂｒｏａｄｃａｓｔ  ｃｈａｎｎｅｌ）、ユーザトラフィックまたは制御信号を送信するのに使用されるＤＬ−ＳＣＨ（ｄｏｗｎｌｉｎｋ  ｓｈａｒｅｄ  ｃｈａｎｎｅｌ）、及びＵＥをページングするのに使用されるＰＣＨ（ｐａｇｉｎｇ  ｃｈａｎｎｅｌ）を含む。ＵＬ送信チャネルは、ユーザトラフィックまたは制御信号を送信するためのＵＬ−ＳＣＨ（ｕｐｌｉｎｋ  ｓｈａｒｅｄ  ｃｈａｎｎｅｌ）及びセルに対する初期接続に一般的に使用されるＲＡＣＨ（ｒａｎｄｏｍ  ａｃｃｅｓｓ  ｃｈａｎｎｅｌ）を含む。
【００３９】
ＭＡＣサブ階層は、様々な種類のデータ送信サービスを提供する。各論理チャネル類型は、送信される情報類型によって定義される。論理チャネルは、制御チャネルとトラフィックチャネルとの２つのグループに分類される。
【００４０】
制御チャネルは、制御平面情報の送信にのみ使用される。制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、及びＤＣＣＨ（ｄｅｄｉｃａｔｅｄ  ｃｏｎｔｒｏｌ  ｃｈａｎｎｅｌ）を含む。ＢＣＣＨは、放送システム制御情報のためのＤＬチャネルである。ＰＣＣＨは、ページング情報、システム情報変更通知を送信するＤＬチャネルである。ＣＣＣＨは、ＵＥとネットワークとの間に制御情報を送信するためのチャネルである。このチャネルは、ネットワークとＲＲＣ連結がないＵＥに使用される。ＤＣＣＨは、ＵＥとネットワークとの間の専用制御情報を送信する点対点両方向チャネルである。このチャネルは、ＲＲＣ連結があるＵＥにより使用される。
【００４１】
トラフィックチャネルは、ユーザ平面情報の送信にのみ使用される。トラフィックチャネルは、ＤＴＣＨ（ｄｅｄｉｃａｔｅｄ  ｔｒａｆｆｉｃ  ｃｈａｎｎｅｌ）を含む。ＤＴＣＨは、ユーザ情報の送信のための１つのＵＥ専用の点対点チャネルである。ＤＴＣＨは、ＵＬとＤＬの両方に存在することができる。
【００４２】
論理チャネルと送信チャネルとの間のマッピングに関し、ＤＬにおいて、ＢＣＣＨは、ＢＣＨにマッピングされることができ、ＢＣＣＨは、ＤＬ−ＳＣＨにマッピングされることができ、ＰＣＣＨは、ＰＣＨにマッピングされることができ、ＣＣＣＨは、ＤＬ−ＳＣＨにマッピングされることができ、ＤＣＣＨは、 ＤＬ−ＳＣＨにマッピングされることができ、ＤＴＣＨは、ＤＬ−ＳＣＨにマッピングされることができる。ＵＬにおいて、ＣＣＣＨは、ＵＬ−ＳＣＨにマッピングされることができ、ＤＣＣＨは、ＵＬ−ＳＣＨにマッピングされることができ、ＤＴＣＨは、ＵＬ−ＳＣＨにマッピングされることができる。
【００４３】
サイドリンクが説明される。サイドリンクは、サイドリンク通信、Ｖ２Ｘ（ｖｅｈｉｃｌｅ−ｔｏ−ｅｖｅｒｙｔｈｉｎｇ）サイドリンク通信、及びサイドリンクディスカバリーのためのＵＥ−ＵＥインターフェースである。サイドリンクは、ＰＣ５インターフェースに該当する。サイドリンク送信は、ＵＥ間のサイドリンクディスカバリー、サイドリンク通信、及びＶ２Ｘサイドリンク通信のために定義される。ＵＥがネットワークカバレッジにある場合、サイドリンク送信は、ＵＬ及びＤＬに対して定義されたフレーム構造と同じフレーム構造を使用する。しかし、サイドリンク送信は、時間及び周波数領域でＵＬ資源のサブセットに制限される。サイドリンク送信のために、様々な物理チャネル、送信チャネル、及び論理チャネルが定義され得る。
【００４４】
サイドリンク通信は、ＵＥがＰＣ５インターフェースを介して互いに直接通信できる通信モードである。この通信モードは、ＵＥがＥ−ＵＴＲＡＮによりサービングされるとき、そして、ＵＥがＥ−ＵＴＲＡカバレッジ外にあるときに支援される。公共安全（ｐｕｂｌｉｃ  ｓａｆｅｔｙ）運営に使用権限が付与されたＵＥのみサイドリンク通信を行うことができる。他に明示されない限り、「Ｖ２Ｘ」接頭語がない「サイドリンク通信」用語は、公共安全にのみ関連することができる。
【００４５】
ＵＥは、サイドリンク制御（ＳＣ；ｓｉｄｅｌｉｎｋ  ｃｏｎｔｒｏｌ）期間の間に定義されたサブフレーム上でサイドリンク通信を行う。ＳＣ期間は、ＳＣＩ（ｓｉｄｅｌｉｎｋ  ｃｏｎｔｒｏｌ  ｉｎｆｏｒｍａｔｉｏｎ）及びサイドリンクデータ送信のためにセルに割り当てられた資源が発生する期間である。ＳＣ期間内に、ＵＥは、ＳＣＩを送信した後、サイドリンクデータを送信する。ＳＣＩは、階層１  ＩＤ及び送信特性（例えば、変調及びコーディング方式（ＭＣＳ；ｍｏｄｕｌａｔｉｏｎ  ａｎｄ  ｃｏｄｉｎｇ  ｓｃｈｅｍｅ）、ＳＣ周期（ｐｅｒｉｏｄ）の間の資源の位置、タイミング整列）を表す。
【００４６】
サイドリンク通信を支援するＵＥは、資源割当のために２つのモードで動作することができる。第１のモードは、スケジューリングされた資源割当（ｓｃｈｅｄｕｌｅｄ  ｒｅｓｏｕｒｃｅ  ａｌｌｏｃａｔｉｏｎ）であり、これは、サイドリンク通信の資源割当のための「モード１」に称されることができる。モード１において、データを送信するためには、ＵＥがＲＲＣ＿ＣＯＮＮＥＣＴＥＤでなければならない。ＵＥは、ＢＳから送信資源を要請する。ＢＳは、サイドリンク制御情報及びサイドリンクデータの送信のための送信資源をスケジューリングする。ＵＥは、スケジューリング要請（専用スケジューリング要請（Ｄ−ＳＲ；ｄｅｄｉｃａｔｅｄ  ｓｃｈｅｄｕｌｉｎｇ  ｒｅｑｕｅｓｔ）またはランダムアクセス）をＢＳに送信した後、サイドリンクバッファ状態報告（ＢＳＲ；ｂｕｆｆｅｒ  ｓｔａｔｕｓ  ｒｅｐｏｒｔ）を送信する。ＢＳは、サイドリンクＢＳＲに基づいて、ＵＥがサイドリンク通信送信のためのデータを有していると決定し、送信に必要な資源を推定できる。ＢＳは、構成されたサイドリンクＳＬ−ＲＮＴＩ（ｓｉｄｅｌｉｎｋ  ｒａｄｉｏ  ｎｅｔｗｏｒｋ  ｔｅｍｐｏｒａｒｙ  ｉｄｅｎｔｉｔｙ）を用いてサイドリンク通信のための送信資源をスケジューリングすることができる。
【００４７】
第２のモードは、ＵＥ自律的資源選択（ＵＥ  ａｕｔｏｎｏｍｏｕｓ  ｒｅｓｏｕｒｃｅ  ｓｅｌｅｃｔｉｏｎ）であり、これは、サイドリンク通信の資源割当のための「モード２」と称されることができる。モード２においてＵＥは、自体的に資源プールから資源を選択し、サイドリンク制御情報及びデータを送信するために送信フォーマット選択を行う。カバレッジ外部（ｏｕｔ−ｏｆ−ｃｏｖｅｒａｇｅ）動作のために事前構成されるか、カバレッジ内部（ｉｎ−ｃｏｖｅｒａｇｅ）動作のためにＲＲＣシグナリングにより提供される最大８個の送信プールがありうる。各プールには、連結された１つ以上のＰＰＰＰ（ＰｒｏＳｅ−ｐｅｒ−ｐａｃｋｅｔ  ｐｒｉｏｒｉｔｙ）がありうる。ＭＡＣ  ＰＤＵの送信のために、ＵＥは、連関したＰＰＰＰのうち１つがＭＡＣ  ＰＤＵで識別された論理チャネルのうち、ＰＰＰＰが最も高い論理チャネルのＰＰＰＰと同じ送信プールを選択する。ＵＥが同じ連関したＰＰＰＰを有する複数のプールのうち、どのように選択するかは、ＵＥ実現に拠る。サイドリンク制御プールとサイドリンクデータプールとの間には、一対一連結がある。資源プールが選択されれば、全体ＳＣ周期の間選択が有効である。ＳＣ周期が完了した後、ＵＥは、資源プール選択をさらに行うことができる。ＵＥは、単一ＳＣ周期で相違した目的地への多重送信を行うように許容される。
【００４８】
ＲＲＣ＿ＣＯＮＮＥＣＴＥＤのＵＥは、ＵＥがサイドリンク通信に関心を有すると、サイドリンクＵＥ情報メッセージをＢＳに送信することができる。これに応答して、ＢＳは、ＳＬ−ＲＮＴＩでＵＥを構成できる。
【００４９】
ＵＥは、公共安全ＰｒｏＳｅ搬送波上でセルを検出するたびにサイドリンク通信のためのカバレッジ内部とみなされる。ＵＥがサイドリンク通信に対するカバレッジを外れた場合、モード２のみを使用することができる。ＵＥがサイドリンク通信に対してカバレッジ内部である場合、ＢＳ構成によってモード１またはモード２を使用できる。ＵＥがサイドリンク通信のためのカバレッジ内部にある場合、例外的な場合のうち１つが発生しない限り、ＢＳ構成により指示された資源割当モードのみを使用しなければならない。例外的な場合が発生すれば、ＵＥは、モード１を使用するように構成されたが、モード２を一時的に使用することができる。例外的な場合に使用される資源プールは、ＢＳにより提供されることができる。
【００５０】
ＵＥがサイドリンク通信のためのカバレッジ外部にあるとき、ＳＣＩのための送信及び受信資源プールセットは、ＵＥで事前構成される。ＵＥがサイドリンク通信のためのカバレッジ内部にあるとき、ＳＣＩのための資源プールは、次のように構成される。受信に使用される資源プールは、放送シグナリングでＲＲＣを介してＢＳにより構成される。モード２が使用される場合、送信に使用される資源プールは、専用または放送シグナリングでＲＲＣを介してＢＳにより構成される。モード１が使用される場合、送信に使用される資源プールは、専用シグナリングでＲＲＣを介してＢＳにより構成される。この場合、ＢＳは、構成された受信プール内でＳＣＩ送信のための特定資源（等）をスケジューリングする。
【００５１】
ＵＥがサイドリンク通信のためのカバレッジ外部にあるとき、データのための送信及び受信資源プールセットは、ＵＥで事前構成される。ＵＥがサイドリンク通信のためのカバレッジ内部にあるとき、データのための資源プールは、次のように構成される。モード２が使用される場合、送信及び受信に使用される資源プールは、専用または放送シグナリングでＲＲＣを介してＢＳにより構成される。モード１を使用する場合、送信及び受信のための資源プールはない。
【００５２】
Ｖ２Ｘサービス及びＶ２Ｘサイドリンク通信が説明される。Ｖ２Ｘサービスは、車両対車両（Ｖ２Ｖ；ｖｅｈｉｃｌｅ−ｔｏ−ｖｅｈｉｃｌｅ）、車両対インフラ（Ｖ２Ｉ；ｖｅｈｉｃｌｅ−ｔｏ−ｉｎｆｒａｓｔｒｕｃｔｕｒｅ）、車両対モバイル機器間（Ｖ２Ｎ；ｖｅｈｉｃｌｅ−ｔｏ−ｎｏｍａｄｉｃ）、及び車両対歩行者（Ｖ２Ｐ；ｖｅｈｉｃｌｅ−ｔｏ−ｐｅｄｅｓｔｒｉａｎ）の４つの類型で構成されることができる。Ｖ２Ｘサービスは、ＰＣ５インターフェース及び／又はＵｕインターフェースを介して提供されることができる。ＰＣ５インターフェースを介してのＶ２Ｘサービス支援は、ＵＥがＰＣ５インターフェースを介して互いに直接通信できる通信モードであるＶ２Ｘサイドリンク通信により提供される。この通信モードは、ＵＥがＥ−ＵＴＲＡＮによりサービングされるとき、そして、ＵＥがＥ−ＵＴＲＡカバレッジ外部にあるときに支援される。Ｖ２Ｘサービスを使用するように権限が付与されたＵＥのみＶ２Ｘサイドリンク通信を行うことができる。
【００５３】
Ｖ２Ｘサイドリンク通信を支援するＵＥは、資源割当のための２つのモードで動作することができる。第１のモードは、スケジューリングされた資源割当（ｓｃｈｅｄｕｌｅｄ  ｒｅｓｏｕｒｃｅ  ａｌｌｏｃａｔｉｏｎ）であり、これは、Ｖ２Ｘサイドリンク通信の資源割当のための「モード３」と称されることができる。モード３において、データを送信するためには、ＵＥがＲＲＣ＿ＣＯＮＮＥＣＴＥＤでなければならない。ＵＥは、ＢＳから送信資源を要請する。ＢＳは、サイドリンク制御情報及びデータの送信のための送信資源をスケジューリングする。サイドリンクＳＰＳ（ｓｅｍｉ−ｐｅｒｓｉｓｔｅｎｔ  ｓｃｈｅｄｕｌｉｎｇ）がモード３で支援される。
【００５４】
第２のモードは、Ｖ２Ｘサイドリンク通信の資源割当のための「モード４」と称されることができるＵＥ自律的資源選択（ＵＥ  ａｕｔｏｎｏｍｏｕｓ  ｒｅｓｏｕｒｃｅ  ｓｅｌｅｃｔｉｏｎ）である。モード４においてＵＥは、自体的に資源プールから資源を選択し、サイドリンク制御情報及びデータを送信するために送信フォーマット選択を行う。領域（ｚｏｎｅ）とＶ２Ｘサイドリンク送信資源プールとの間のマッピングが構成されれば、ＵＥは、ＵＥが位置した領域に基づいてＶ２Ｘサイドリンク資源プールを選択する。ＵＥは、サイドリンク資源の（再）選択のためにセンシングを行う。センシング結果に基づいて、ＵＥは、一部特定サイドリンク資源を選択し、複数のサイドリンク資源を予約する。最大２個の並列独立資源予約プロセスがＵＥにより行われるように許容されることができる。ＵＥは、さらにＶ２Ｘサイドリンク送信のために単一資源選択を行うように許容することができる。
【００５５】
Ｖ２Ｘサイドリンク送信の場合、ハンドオーバーの間、ターゲットセルに対する例外的な送信資源プールを含む送信資源プール構成がハンドオーバー命令でシグナリングされることができ、送信中断を減らすことができる。このような方式にて、ＢＳが同期化ソースとして構成されてターゲットセルとの同期化が行われるか、ＧＮＳＳ（ｇｌｏｂａｌ  ｎａｖｉｇａｔｉｏｎ  ｓａｔｅｌｌｉｔｅ  ｓｙｓｔｅｍ）が同期化ソースとして構成されてＧＮＳＳとの同期化が行われる限り、ＵＥは、ハンドオーバーが完了する前にターゲットセルの送信サイドリンク資源プールを使用できる。例外送信資源プールがハンドオーバー命令に含まれれば、ＵＥは、ハンドオーバー命令の受信から始めて例外送信資源プールからランダムに選択された資源を使用し始める。ＵＥがハンドオーバー命令においてモード３で構成されれば、ハンドオーバーと関連したタイマーが実行される間、ＵＥは、例外的な送信資源プールを使用し続ける。ＵＥがターゲットセルにおいてモード４で構成されれば、ＵＥは、モード４に対する送信資源プールに対するセンシング結果が利用可能になるまで例外的な送信資源プールを使用し続ける。例外的な場合（例えば、無線リンク失敗（ＲＬＦ；ｒａｄｉｏ  ｌｉｎｋ  ｆａｉｌｕｒｅ）の間、ＲＲＣ＿ＩＤＬＥからＲＲＣ＿ＣＯＮＮＥＣＴＥＤへの切り替えの間、またはセル内の専用サイドリンク資源プールの変更の間）、ＵＥは、ランダム選択に基づいてサービングセルのＳＩＢ２１に提供された例外的プールで資源を選択でき、これを仮に使用する。セル再選択の間、ＲＲＣ＿ＩＤＬＥ  ＵＥは、モード４に対する送信資源プールに対するセンシング結果が利用可能になるまで再選択されたセルの例外的送信資源プールからランダムに選択された資源を使用できる。
【００５６】
ターゲットセルから放送された受信プール取得遅延によるＶ２Ｘメッセージ受信での中断時間を避けるために、ターゲットセルに対する同期化構成及び受信資源プール構成がハンドオーバー命令でＲＲＣ＿ＣＯＮＮＥＣＴＥＤ  ＵＥにシグナリングされることができる。ＲＲＣ＿ＩＤＬＥ  ＵＥの場合、ターゲットセルのＳＩＢ２１の取得と関連したサイドリンク送信／受信中断時間を最小化することは、ＵＥ実現に拠る。
【００５７】
ＵＥは、当該搬送波に対してセルを検出するたびにＶ２Ｘサイドリンク通信に使用される搬送波に対するカバレッジ内部とみなされる。Ｖ２Ｘサイドリンク通信のために権限が付与されたＵＥがＶ２Ｘサイドリンク通信のためのカバレッジ内部にある場合、ＢＳ構成によってモード３またはモード４を使用できる。ＵＥがＶ２Ｘサイドリンク通信に対するカバレッジ外部にあるとき、送信及び受信資源プールセットがＵＥで事前構成されることができる。Ｖ２Ｘサイドリンク通信資源は、サイドリンクを介して送信された他の非−Ｖ２Ｘデータと共有されない。
【００５８】
ＲＲＣ＿ＣＯＮＮＥＣＴＥＤ  ＵＥは、Ｖ２Ｘサイドリンク通信送信に関心があるならば、サイドリンク資源を要請するために、サイドリンクＵＥ情報メッセージをサービングセルに送信することができる。
【００５９】
ＵＥがＶ２Ｘサイドリンク通信を受信するように上位階層により構成され、Ｖ２Ｘサイドリンク受信資源プールが提供される場合、ＵＥは、提供された資源を介して受信する。
【００６０】
ＵＥ内に複数の受信機チェーンを備えて、相違した搬送波／ＰＬＭＮでサイドリンクＶ２Ｘ通信の受信が支援され得る。
【００６１】
サイドリンクＳＰＳの場合、相違したパラメータを有する最大８個のＳＰＳ構成がＢＳにより構成され得るし、全てのＳＰＳ構成が同時に活性化され得る。ＳＰＳ構成の活性化／非活性化は、ＢＳによりＰＤＣＣＨを介してシグナリングされる。ＰＰＰＰ基盤の既存論理チャネル優先順位がサイドリンクＳＰＳに使用される。
【００６２】
ＵＥ支援情報がＢＳに提供され得る。ＵＥ支援情報の報告は、Ｖ２Ｘサイドリンク通信のためにＢＳにより構成される。Ｖ２Ｘサイドリンク通信に使用されるＵＥ支援情報は、ＳＰＳ構成と関連したトラフィック特性パラメータ（例えば、観察されたトラフィックパターンに基づいて選好される予想ＳＰＳ間隔、システムフレーム番号（ＳＦＮ；ｓｙｓｔｅｍ  ｆｒａｍｅ  ｎｕｍｂｅｒ）０のサブフレーム０に対するタイミングオフセット、ＰＰＰＰ及び最大送信ブロック（ＴＢ；ｔｒａｎｓｐｏｒｔ  ｂｌｏｃｋ）のセット）を含む。ＳＰＳが事前構成されたり、構成されていない場合、ＵＥ支援情報が報告され得る。ＵＥ支援情報送信のトリガリングは、ＵＥ実現である。例えば、ＵＥは、推定された周期及び／又はパケット到着のタイミングオフセットでの変化が発生するとき、ＵＥ支援情報を報告できる。トラフィック類型別ＳＲマスクは、Ｖ２Ｘサイドリンク通信で支援されない。
【００６３】
チャネル利用を制御するために、ネットワークは、チャネル混雑度（ＣＢＲ；ｃｈａｎｎｅｌ  ｂｕｓｙ  ｒａｔｉｏ）によってＵＥが各送信プールに対して自分の送信パラメータをどのように適応させるかを指示できる。ＵＥは、例外的プールを含んで構成された全ての送信プールを測定する。スケジューリング割当（ＳＡ；ｓｃｈｅｄｕｌｉｎｇ  ａｓｓｉｇｎｍｅｎｔ）プールとデータプール資源とが隣接した場合に対してデータプールのみ測定し、ＳＡプールとデータプールとが隣接していない場合に対してＳＡプールとデータプールとを別に測定する。
【００６４】
ＲＲＣ＿ＣＯＮＮＥＣＴＥＤにあるＵＥは、ＣＢＲ測定結果を報告するように構成されることができる。ＣＢＲ報告の場合、周期的報告及びイベントトリガ報告が支援される。データプール専用と定義された２つの新しい報告イベントがイベントトリガＣＢＲ報告のために導入された。ＣＢＲイベントトリガ報告は、オーバーロードされた（ｏｖｅｒｌｏａｄｅｄ）閾値及び／又はロードが少ない（ｌｅｓｓ−ｌｏａｄｅｄ）閾値によりトリガされる。ネットワークは、ＵＥがどの送信プールを報告しなければならないか構成することができる。
【００６５】
ＲＲＣ状態に関係なく、ＵＥは、ＣＢＲに基づいて送信パラメータ適応を行う。例示的な適応された送信パラメータは、最大送信電力、ＴＢ当たり再送信回数の範囲、ＰＳＳＣＨ（ｐｈｙｓｉｃａｌ  ｓｉｄｅｌｉｎｋ  ｓｈａｒｅｄ  ｃｈａｎｎｅｌ）の範囲、ＭＣＳの範囲、チャネル占有率の最大値を含む。送信パラメータ適応は、例外的プールを含んで全ての送信プールに適用される。
【００６６】
モード３及びモード４に対して互いに異なる周波数に対する例外的なプールを含むサイドリンク送信及び／又は受信資源が提供され得る。相違した周波数に対するサイドリンク資源は、専用シグナリング、ＳＩＢ２１及び／又は事前構成を介して提供されることができる。サービングセルは、ＵＥがサイドリンク資源構成を取得できる周波数のみをＵＥに指示することができる。複数の周波数及び関連資源情報が提供される場合、提供された周波数の中から周波数を選択することはＵＥ実現に拠る。ＵＥがＶ２Ｘサイドリンク通信のための資源構成または搬送波間資源構成を提供するセルを検出する場合、ＵＥは、事前構成された送信資源を使用してはならない。Ｖ２Ｘサイドリンク通信資源構成または交差搬送波構成を提供できる周波数が事前構成され得る。ＲＲＣ＿ＩＤＬＥ  ＵＥは、セル再選択の間、Ｖ２Ｘサイドリンク通信のための資源構成を提供する周波数を他の搬送波より優先順位化することができる。
【００６７】
ＵＥが複数の送信チェーンを支援する場合、ＰＣ５を介して複数の搬送波で同時に送信することができる。Ｖ２Ｘのために多重周波数が支援される場合、サービス類型とＶ２Ｘ周波数との間のマッピングは上位階層により構成される。ＵＥは、当該周波数でサービスが送信されるように保障しなければならない。
【００６８】
ＵＥは、他のＰＬＭＮのＶ２Ｘサイドリンク通信を受信することができる。サービングセルは、ＰＬＭＮ間動作のためのＲＸ資源構成をＵＥに直接指示するか、またはＵＥがＰＬＭＮ間サイドリンク資源構成を取得できる周波数のみをＵＥに指示することができる。他のＰＬＭＮへのサイドリンク送信は許容されない。
【００６９】
ＵＬ周波数送信が同じ周波数でＶ２Ｘサイドリンク送信と時間領域で重なるとき、ＵＥは、サイドリンクＭＡＣ  ＰＤＵのＰＰＰＰが（事前）構成されたＰＰＰＰ閾値より低い場合、ＵＬ送信に比べてサイドリンク送信を優先順位化する。ＵＬ送信が互いに異なる周波数でのサイドリンク送信と時間領域で重なるとき、ＵＥは、サイドリンクＭＡＣ  ＰＤＵのＰＰＰＰが（事前）構成されたＰＰＰＰ閾値より低ければ、ＵＬ送信に比べてサイドリンク送信を優先順位化したり、ＵＬ送信電力を減少させることができる。しかし、ＵＬ送信が上位階層により優先順位化されるか、ＲＡＣＨ手順が行われる場合、ＵＥは、任意のＶ２Ｘサイドリンク送信（すなわち、サイドリンクＭＡＣ  ＰＤＵのＰＰＰＰに関係なく）に比べてＵＬ送信を優先順位化する。
【００７０】
Ｖ２Ｘサイドリンク通信送信に関するＭＡＣサブ階層による詳細な動作が説明される。ＳＬ−ＳＣＨ（ｓｉｄｅｌｉｎｋ  ｓｈａｒｅｄ  ｃｈａｎｎｅｌ）を介して送信するためには、ＭＡＣ個体は、少なくとも１つのサイドリンクグラントを有さなければならない。
【００７１】
サイドリンク通信のためのサイドリンクグラントは、次のように選択される：
【００７２】
１＞ＭＡＣ個体がＰＤＣＣＨ上で動的に単一サイドリンクグラントを受信するように構成され、現在ＳＣ周期内に送信され得るものよりさらに多くのデータがサイドリンクトラフィックチャネル（ＳＴＣＨ；ｓｉｄｅｌｉｎｋ  ｔｒａｆｆｉｃ  ｃｈａｎｎｅｌ）で利用可能であれば、ＭＡＣ個体は、次を行わなければならない：
【００７３】
２＞受信されたサイドリンクグラントを用いてＳＣＩの送信及び第１の送信ブロックの送信が発生するサブフレームセットを決定し；
【００７４】
２＞受信されたサイドリンクグラントを、サイドリンクグラントが受信されたサブフレームから少なくとも４個のサブフレーム以後から始める、利用可能な１番目のＳＣ周期の開始から始めるサブフレームで発生する構成されたサイドリンクグラントであることとみなし、可能な場合、同じＳＣ周期内に発生する事前構成されたサイドリンクグラントをオーバライト（ｏｖｅｒｗｒｉｔｅ）する；
【００７５】
２＞対応するＳＣ周期の終わりで構成されたサイドリンクグラントをクリア（ｃｌｅａｒ）し；
【００７６】
１＞それとも、ＭＡＣ個体がＰＤＣＣＨ上で動的に複数のサイドリンクグラントを受信するように上位階層により構成され、現在ＳＣ周期内に送信され得るものよりさらに多くのデータがＳＴＣＨで利用可能な場合、ＭＡＣ個体は、それぞれの受信されたサイドリンクに対して次を行わなければならない：
【００７７】
２＞受信されたサイドリンクグラントを用いてＳＣＩの送信及び第１の送信ブロックの送信が発生するサブフレームセットを決定し；
【００７８】
２＞受信されたサイドリンクグラントを、サイドリンクグラントが受信されたサブフレームから少なくとも４個のサブフレーム以後で始める、利用可能な１番目のＳＣ周期の開始から始めるサブフレームで発生する構成されたサイドリンクグラントであることとみなし、可能であれば、同じＳＣ周期内で発生するこのような構成されたサイドリンクグラントと同じサブフレーム番号であるが、他の無線フレームで受信された事前構成されたサイドリンクグラントをオーバライトする；
【００７９】
２＞対応するＳＣ周期の終わりで構成されたサイドリンクグラントをクリアし；
【００８０】
１＞それとも、ＭＡＣ個体が１つ以上の資源プールを用いて送信するように上位階層により構成され、現在ＳＣ周期内に送信され得るものよりさらに多くのデータがＳＴＣＨで利用可能な場合、ＭＡＣ個体は、各サイドリンクグラントが選択されるようにしなければならない：
【００８１】
２＞単一資源プールを使用するように上位階層により構成された場合：
【００８２】
３＞使用する資源プールを選択する；
【００８３】
２＞それとも、複数の資源プールを使用するように上位階層により構成された場合：
【００８４】
３＞連関した優先順位リストが送信されるＭＡＣ  ＰＤＵでサイドリンク論理チャネルの最高優先順位の優先順位を含む資源プールから使用のために上位階層により構成された資源プールを選択し；
【００８５】
２＞選択された資源プールからサイドリンクグラントのＳＬ−ＳＣＨ及びＳＣＩに対する時間及び周波数資源をランダムに選択する。ランダム関数は、許容された各選択が同じ確率で選択され得るようにしなければならない；
【００８６】
２＞選択されたサイドリンクグラントを用いてＳＣＩの送信及び第１の送信ブロックの送信が発生するサブフレームセットを決定し；
【００８７】
２＞選択されたサイドリンクグラントを、サイドリンクグラントが選択されたサブフレームから少なくとも４個のサブフレーム以後で始める、利用可能な１番目のＳＣ周期の開始から始めるサブフレームで発生する構成されたサイドリンクグラントであることとみなし；
【００８８】
２＞当該ＳＣ周期の終わりで構成されたサイドリンクグラントをクリアする。
【００８９】
Ｖ２Ｘサイドリンク通信のために、サイドリンクグラントは、次のように選択される：
【００９０】
１＞ＭＡＣ個体がＰＤＣＣＨで動的にサイドリンクグラントを受信するように構成され、データがＳＴＣＨで利用可能な場合、ＭＡＣ個体は、次を行わなければならない：
【００９１】
２＞受信されたサイドリンクグラントを用いてＳＣＩ及びＳＬ−ＳＣＨの送信が発生するＨＡＲＱ再送信回数及びサブフレームセットを決定し；
【００９２】
２＞受信されたサイドリンクグラントが構成されたサイドリンクグラントであることとみなし；
【００９３】
１＞それとも、ＭＡＣ個体がセンシングに基づいて資源プールを用いて送信するように上位階層により構成されるならば、ＭＡＣ個体は、複数のＭＡＣ  ＰＤＵの送信に対応する構成されたサイドリンクグラントを生成するように選択され、データがＳＴＣＨで利用可能であれば、ＭＡＣ個体は、センシングに基づいて多重送信のために構成された各サイドリンクプロセス毎に次を行わなければならない：
【００９４】
２＞ＳＬ＿ＲＥＳＯＵＲＣＥ＿ＲＥＳＥＬＥＣＴＩＯＮ＿ＣＯＵＮＴＥＲ＝０であり、ＭＡＣ個体が同じ確率で間隔［０、１］で上位階層によりｐｒｏｂＲｅｓｏｕｒｃｅＫｅｅｐで構成された確率より高い値を同じ確率でランダムに選択する場合；または；
【００９５】
２＞構成されたサイドリンクグラントが上位階層によりｍａｘＭＣＳ−ＰＳＳＣＨで構成された最大許容ＭＣＳを用いてＲＬＣ  ＳＤＵを収容することができず、ＭＡＣ個体がＲＬＣ  ＳＤＵを分割しないように選択し；または
【００９６】
２＞資源プールが上位階層により構成されるか、再構成される場合：
【００９７】
３）可能であれば、構成されたサイドリンクグラントをクリアする；
【００９８】
３＞区間［５、１５］で整数値を同じ確率でランダムに選択し、ＳＬ＿ＲＥＳＯＵＲＣＥ＿ＲＥＳＥＬＥＣＴＩＯＮ＿ＣＯＵＮＴＥＲを選択された値に設定し；
【００９９】
３＞上位階層によりａｌｌｏｗｅｄＲｅｔｘＮｕｍｂｅｒＰＳＳＣＨで構成された許容された数からＨＡＲＱ再送信の数、及び上位階層によりｍｉｎＲＢ−ＮｕｍｂｅｒＰＳＳＣＨとｍａｘＲＢ−ＮｕｍｂｅｒＰＳＳＣＨとの間の構成された範囲内の周波数資源の量を選択し；
【０１００】
３＞上位階層によりｒｅｓｔｒｉｃｔＲｅｓｏｕｒｃｅＲｅｓｅｒｖａｔｉｏｎＰｅｒｉｏｄで構成された許容された値のうち１つを選択し、選択された値に１００をかけて資源予約間隔を設定する；
【０１０１】
３＞物理階層により指示された資源から１つの時間及び周波数資源をランダムに選択する。ランダム関数は、許容された各選択が同じ確率で選択され得るようにしなければならない；
【０１０２】
３＞ランダムに選択された資源を利用してＭＡＣ  ＰＤＵの送信機会の数に対応するＳＣＩ及びＳＬ−ＳＣＨの送信機会に対する資源予約間隔の分だけ離間した周期的資源セットを選択し；
【０１０３】
３＞ＨＡＲＱ再送信の数が１と同一であり、より多くの送信機会に対する条件を満たす物理階層により指示される資源に残った可用資源がある場合：
【０１０４】
４＞利用可能な資源のうち、１つの時間及び周波数資源をランダムに選択する。ランダム関数は、許容された各選択が同じ確率で選択され得るようにしなければならない；
【０１０５】
４＞ランダムに選択された資源を利用してＭＡＣ  ＰＤＵの再送信機会の数に対応するＳＣＩ及びＳＬ−ＳＣＨの他の送信機会に対して資源予約間隔の分だけ離間した周期的資源セットを選択し；
【０１０６】
４＞第１の送信機会セットを新しい送信機会とみなし、他の送信機会セットを再送信機会とみなし；
【０１０７】
４＞新しい送信機会及び再送信機会のセットを選択されたサイドリンクグラントとしてみなす。
【０１０８】
３＞それとも：
【０１０９】
４＞当該セットを選択されたサイドリンクグラントとしてみなし；
【０１１０】
３＞選択されたサイドリンクグラントを用いてＳＣＩ及びＳＬ−ＳＣＨの送信が発生するサブフレームセットを決定し；
【０１１１】
３＞選択されたサイドリンクグラントを構成されたサイドリンクグラントであることとみなし；
【０１１２】
２＞それとも、ＳＬ＿ＲＥＳＯＵＲＣＥ＿ＲＥＳＥＬＥＣＴＩＯＮ＿ＣＯＵＮＴＥＲ＝０であり、ＭＡＣ個体が上位階層によりｐｒｏｂＲｅｓｏｕｒｃｅＫｅｅｐで構成された確率より小さいか、同じ間隔［０、１］内の値を同じ確率でランダムに選択する場合：
【０１１３】
３）可能であれば、構成されたサイドリンクグラントをクリアし；
【０１１４】
３＞区間［５、１５］内の整数値を同じ確率でランダムに選択し、ＳＬ＿ＲＥＳＯＵＲＣＥ＿ＲＥＳＥＬＥＣＴＩＯＮ＿ＣＯＵＮＴＥＲを選択された値に設定し；
【０１１５】
３＞資源予約間隔とともにＭＡＣ  ＰＤＵの送信回数に対して以前に選択されたサイドリンクグラントを用いてＳＣＩ及びＳＬ−ＳＣＨの送信が発生するサブフレームセットを決定し；
【０１１６】
３＞選択されたサイドリンクグラントを構成されたサイドリンクグラントであることとみなし；
【０１１７】
１＞それとも、ＭＡＣ個体がセンシングまたはランダム選択に基づいて、資源プールを用いて送信するように上位階層により構成され、ＭＡＣ個体は、単一ＭＡＣ  ＰＤＵの送信（等）に対応する構成されたサイドリンクグラントを生成するように選択し、データは、ＳＴＣＨで利用可能であれば、ＭＡＣ個体は、次のようなサイドリンクプロセスを行わなければならない：
【０１１８】
２＞上位階層によりａｌｌｏｗｅｄＲｅｔｘＮｕｍｂｅｒＰＳＳＣＨで構成された許容された数からＨＡＲＱ再送信の数、及び上位階層によりｍｉｎＲＢ−ＮｕｍｂｅｒＰＳＳＣＨとｍａｘＲＢ−ＮｕｍｂｅｒＰＳＳＣＨとの間の構成された範囲内の周波数資源の量を選択し；
【０１１９】
２＞ランダム選択に基づいた送信が上位階層により構成される場合：
【０１２０】
３＞ＳＣＩ及びＳＬ−ＳＣＨの１つの送信機会に対する時間及び周波数資源を資源プールでランダムに選択する。ランダム関数は、許容された各選択が同じ確率で選択され得るようにしなければならない；
【０１２１】
２＞それとも：
【０１２２】
３＞物理階層により指示された資源プールからＳＣＩ及びＳＬ−ＳＣＨの１つの送信機会に対する時間及び周波数資源をランダムに選択する。ランダム関数は、許容された各選択が同じ確率で選択され得るようにしなければならない；
【０１２３】
２＞ＨＡＲＱ再送信回数が１である場合：
【０１２４】
３＞ランダム選択に基づいた送信が上位階層により構成され、１つ以上の送信機会に対する条件を満たす可用資源がある場合：
【０１２５】
４＞ＭＡＣ  ＰＤＵの追加的な送信に対応するＳＣＩ及びＳＬ−ＳＣＨの他の送信機会に対する時間及び周波数資源を利用可能な資源からランダムに選択する。ランダム関数は、許容された各選択が同じ確率で選択され得るようにしなければならない；
【０１２６】
３＞それとも、センシングに基づいた送信が上位階層により構成され、物理階層により既に排除された資源を除き、１つ以上の送信機会に対する条件を満たす可用資源がある場合：
【０１２７】
４＞ＭＡＣ  ＰＤＵの追加的な送信に対応するＳＣＩ及びＳＬ−ＳＣＨの他の送信機会に対する時間及び周波数資源を利用可能な資源からランダムに選択する。ランダム関数は、許容された各選択が同じ確率で選択され得るようにしなければならない；
【０１２８】
３＞時間上、最初に発生する送信機会を新しい送信機会とみなし、時間上、後ほど発生する送信機会を再送信機会とみなし；
【０１２９】
３＞送信機会の全てを選択されたサイドリンクグラントとみなし；
【０１３０】
２＞それとも：
【０１３１】
３＞送信機会を選択されたサイドリンクグラントとみなし；
【０１３２】
２＞選択されたサイドリンクグラントを用いてＳＣＩ及びＳＬ−ＳＣＨの送信（等）が発生するサブフレームを決定し；
【０１３３】
２＞選択されたサイドリンクグラントが構成されたサイドリンクグラントであることとみなす。
【０１３４】
ＭＡＣ個体は、各サブフレーム毎に次を行わなければならない。
【０１３５】
１＞ＭＡＣ個体がこのようなサブフレームで発生する構成されたサイドリンクグラントを有する場合：
【０１３６】
２＞構成されたサイドリンクグラントがＳＣＩの送信に対応する場合：
【０１３７】
３＞物理階層に構成されたサイドリンクグラントに対応するＳＣＩを送信するように指示し；
【０１３８】
３＞Ｖ２Ｘサイドリンク通信のために、構成されたサイドリンクグラント及びこのようなサブフレームに対する連関したＨＡＲＱ情報をサイドリンクＨＡＲＱ個体に伝達し；
【０１３９】
２＞仮りに、構成されたサイドリンクグラントがサイドリンク通信のための第１の送信ブロックの送信に対応する場合：
【０１４０】
３＞構成されたサイドリンクグラント及びこのようなサブフレームに対する連関ＨＡＲＱ情報をサイドリンクＨＡＲＱ個体に伝達する。
【０１４１】
従来技術の問題点または解決されるべき問題点が説明される。従来技術によれば、資源プールは、単一搬送波のみで構成される。ＵＥのＲＲＣ階層（以下、簡単にＵＥ  ＲＲＣ）は、単一搬送波で資源プールを選択する。そして、ＵＥのＭＡＣ階層（以下、簡単にＵＥ  ＭＡＣ）は、選択されたプールに対する資源（再）選択を行い、選択された資源を利用してサイドリンク送信を行う。
【０１４２】
Ｖ２Ｘサイドリンク通信のために、サイドリンクに搬送波集成（ＣＡ；ｃａｒｒｉｅｒ  ａｇｇｒｅｇａｔｉｏｎ）を導入することが論議された。Ｖ２Ｘサイドリンク通信のためのサイドリンクのＣＡは、カバレッジ内ＵＥ及びカバレッジ外ＵＥの両方に適用されることができる。Ｖ２Ｘサイドリンク通信のためのサイドリンクのＣＡにおいて、Ｖ２Ｘサイドリンク通信送信または受信のために（事前）構成されたそれぞれの資源プールが単一搬送波と連関することができる。
【０１４３】
Ｖ２Ｘサイドリンク通信のためのサイドリンクのＣＡが導入されれば、ＵＥは、互いに異なる搬送波を介して並列送信を行うことができる。したがって、ＵＥは、複数の搬送波または複数のプールを選択できる。ＵＥは、複数の搬送波または複数のプールを一般プールとして選択することができる。しかし、例外的な場合（すなわち、ＲＬＦ、ハンドオーバー、ＲＲＣ＿ＩＤＬＥからＲＲＣ＿ＣＯＮＮＥＣＴＥＤへの切り替え、またはセル内の専用サイドリンク資源プールの変更）のための例外的プールに対して多重搬送波を選択する方法が明らかでない。より具体的に、ＵＥは、特定基準に基づいて複数の搬送波または複数のプールを一般プールとして選択することができる。しかし、例外的なプールに対しては、特定基準が提供されないことがあるので、特定基準に基づいて複数の搬送波または複数のプールを例外的プールとして選択するのが難しい場合がある。例外的な場合のために、搬送波または資源プールを効率的に選択する方法が必要でありうる。
【０１４４】
以下、本開示の実施形態によって例外的な場合のための搬送波／資源プールを選択する方法が説明される。下記の説明において、それぞれの資源プールが単一搬送波に連関するので、搬送波を選択することは、資源プールを選択することと類似した意味でありうる。以下の説明において、例外的な場合に対する資源プールは、単純に例外的な資源プールまたは例外的なプールと称されることができ、一般的な場合に対する資源プールは、簡単に一般資源プールまたは一般プールと称されることができる。
【０１４５】
本開示の一実施形態によれば、例外的な場合が発生すれば、ＵＥは、１つ以上の例外的資源プールに対して１つの搬送波を使用するか、複数の搬送波を使用するかを決定できる。より具体的に、ＵＥは、１つ以上の資源プールに対する１つ以上の搬送波に対して最近に使用された構成に基づいて例外的プールに対する１つ以上の搬送波を選択できる。または、ＵＥは、１つ以上の一般資源プールと１つ以上の例外的資源プールとの間のマッピング関係、または、１つ以上の一般資源プールに対する１つ以上の搬送波と１つ以上の例外的資源プールに対する１つ以上の搬送波との間のマッピング関係に基づいて例外的プールに対する１つ以上の搬送波を選択できる。
【０１４６】
図５は、本開示の一実施形態に係る１つ以上の例外的資源プール上でサイドリンク送信を行う方法の例を示す。
【０１４７】
ステップＳ５００においてＵＥは、ネットワーク（すなわち、ｅＮＢまたはｇＮＢ）から一般資源プール及び例外的資源プールに関する情報を受信する。情報は、放送シグナリング（すなわち、システム情報）または専用シグナリングを介して受信されることができる。情報は、１つ以上の搬送波で構成された１つ以上の一般資源プールに関する情報を含むことができる。１つ以上の一般資源プールが集成されることができ、１つ以上の搬送波も集成されることができる。情報は、１つ以上の搬送波で構成された１つ以上の例外的資源プールに関する情報を含むことができる。１つ以上の例外的な資源プールが集成されることができ、１つ以上の搬送波も集成されることができる。１つの搬送波が一般資源プールと例外的資源プールとを共に提供することができる。情報は、一般資源プールと例外的資源プールとの間のマッピング関係に関する情報を含むことができる。情報は、一般資源プールに対する搬送波と例外的な資源プールに対する搬送波との間のマッピング関係に関する情報を含むことができる。情報は、１つ以上の例外的資源プールに対する集成された搬送波の個数、または集成された例外的資源プールの個数に関する情報を含むことができる。
【０１４８】
ステップＳ５１０においてＵＥ  ＲＲＣは、１つ以上の一般資源プールに対する１つ以上の搬送波を選択する。ステップＳ５１１においてＵＥ  ＲＲＣは、選択された搬送波／資源プールをＵＥ  ＭＡＣに通知する。ＵＥ  ＭＡＣは、選択された搬送波／資源プールの全部または一部を介してサイドリンク資源を選択する。ステップＳ５２０においてＵＥ  ＭＡＣは、１つ以上の搬送波／資源プールの選択された資源を利用してサイドリンク送信を行う。
【０１４９】
ステップＳ５３０において例外的な場合が発生する。例外的な場合は、ＲＬＦ、ハンドオーバー、ＲＲＣ＿ＩＤＬＥからＲＲＣ＿ＣＯＮＮＥＣＴＥＤへの切り替え、またはセル内の専用サイドリンク資源プール変更のうち１つでありうる。具体的に、以下の場合のうち１つが発生すれば、ＵＥは、例外的な場合が発生することとみなすことができる。
【０１５０】
・Ｔ３１０またはＴ３１１が実行中である場合；ＵＥが物理階層問題または無線リンク失敗を検出したＰＣｅｌｌ（ｐｒｉｍａｒｙ  ｃｅｌｌ）がｓｌ−Ｖ２Ｘ−ＣｏｎｆｉｇＣｏｍｍｏｎにｖ２ｘ−ＣｏｍｍＴｘＰｏｏｌＥｘｃｅｐｔｉｏｎａｌを含むＳｙｓｔｅｍＩｎｆｏｒｍａｔｉｏｎＢｌｏｃｋＴｙｐｅ２１を放送するか、またはＳｙｓｔｅｍＩｎｆｏｒｍａｔｉｏｎＢｌｏｃｋＴｙｐｅ２１またはＲＲＣＣｏｎｎｅｃｔｉｏｎＲｅｃｏｎｆｉｇｕｒａｔｉｏｎで当該周波数に対してｖ２ｘ−ＣｏｍｍＴｘＰｏｏｌＥｘｃｅｐｔｉｏｎａｌがｖ２ｘ−ＩｎｔｅｒＦｒｅｑＩｎｆｏＬｉｓｔ内に含まれる場合；
【０１５１】
・Ｔ３０１が実行中であり、ＵＥが連結再確立を開始したセルがｓｌ−Ｖ２Ｘ−ＣｏｎｆｉｇＣｏｍｍｏｎにｖ２ｘ−ＣｏｍｍＴｘＰｏｏｌＥｘｃｅｐｔｉｏｎａｌを含むＳｙｓｔｅｍＩｎｆｏｒｍａｔｉｏｎＢｌｏｃｋＴｙｐｅ２１を放送するか、またはＳｙｓｔｅｍＩｎｆｏｒｍａｔｉｏｎＢｌｏｃｋＴｙｐｅ２１で当該周波数に対してｖ２ｘ−ＣｏｍｍＴｘＰｏｏｌＥｘｃｅｐｔｉｏｎａｌがｖ２ｘ−ＩｎｔｅｒＦｒｅｑＩｎｆｏＬｉｓｔ内に含まれる場合；
【０１５２】
・Ｔ３０４が実行中であり、ＵＥがＲＲＣＣｏｎｎｅｃｔｉｏｎＲｅｃｏｎｆｉｇｕｒａｔｉｏｎのｍｏｂｉｌｉｔｙＣｏｎｔｒｏｌＩｎｆｏＶ２ＸまたはＲＲＣＣｏｎｎｅｃｔｉｏｎＲｅｃｏｎｆｉｇｕｒａｔｉｏｎの当該周波数に対するｖ２ｘ−ＩｎｔｅｒＦｒｅｑＩｎｆｏＬｉｓｔに含まれたｖ２ｘ−ＣｏｍｍＴｘＰｏｏｌＥｘｃｅｐｔｉｏｎａｌで構成された場合；
【０１５３】
・ＲＲＣＣｏｎｎｅｃｔｉｏｎＲｅｃｏｎｆｉｇｕｒａｔｉｏｎにおいて関連周波数に対するｖ２ｘ−ＩｎｔｅｒＦｒｅｑＩｎｆｏＬｉｓｔエントリーでｖ２ｘ−ＣｏｍｍＴｘＰｏｏｌＮｏｒｍａｌＤｅｄｉｃａｔｅｄまたはｖ２ｘ−ＣｏｍｍＴｘＰｏｏｌＮｏｒｍａｌで構成された資源に対するセンシング結果がない場合、次のうち１つが発生する場合：
【０１５４】
・ｖ２ｘ−ＣｏｍｍＴｘＰｏｏｌＥｘｃｅｐｔｉｏｎａｌがＲＲＣＣｏｎｎｅｃｔｉｏｎＲｅｃｏｎｆｉｇｕｒａｔｉｏｎのｍｏｂｉｌｉｔｙＣｏｎｔｒｏｌＩｎｆｏＶ２Ｘに含まれた場合（すなわち、ハンドオーバーの場合）；または
【０１５５】
・ｖ２ｘ−ＣｏｍｍＴｘＰｏｏｌＥｘｃｅｐｔｉｏｎａｌがＲＲＣＣｏｎｎｅｃｔｉｏｎＲｅｃｏｎｆｉｇｕｒａｔｉｏｎの当該周波数に対するｖ２ｘ−ＩｎｔｅｒＦｒｅｑＩｎｆｏＬｉｓｔエントリーに含まれた場合；または
【０１５６】
・ＰＣｅｌｌが当該周波数に対してｓｌ−Ｖ２Ｘ−ＣｏｎｆｉｇＣｏｍｍｏｎにｖ２ｘ−ＣｏｍｍＴｘＰｏｏｌＥｘｃｅｐｔｉｏｎａｌまたはｖ２ｘ−ＩｎｔｅｒＦｒｅｑＩｎｆｏＬｉｓｔにｖ２ｘ−ＣｏｍｍＴｘＰｏｏｌＥｘｃｅｐｔｉｏｎａｌを含むＳｙｓｔｅｍＩｎｆｏｒｍａｔｉｏｎＢｌｏｃｋＴｙｐｅ２１を放送する場合：
【０１５７】
・ＳｙｓｔｅｍＩｎｆｏｒｍａｔｉｏｎＢｌｏｃｋＴｙｐｅ２１に関連周波数に対するｓｌ−Ｖ２Ｘ−ＣｏｎｆｉｇＣｏｍｍｏｎのｖ２ｘ−ＣｏｍｍＴｘＰｏｏｌＥｘｃｅｐｔｉｏｎａｌまたはｖ２ｘ−ＩｎｔｅｒＦｒｅｑＩｎｆｏＬｉｓｔのｖ２ｘ−ＣｏｍｍＴｘＰｏｏｌＥｘｃｅｐｔｉｏｎａｌが含まれた場合及び次の場合のうち１つが発生する場合：
【０１５８】
・ＵＥが連結設定を開始した時点からｓｌ−Ｖ２Ｘ−ＣｏｎｆｉｇＤｅｄｉｃａｔｅｄを含むＲＲＣＣｏｎｎｅｃｔｉｏｎＲｅｃｏｎｆｉｇｕｒａｔｉｏｎを受信するまで、またはＲＲＣＣｏｎｎｅｃｔｉｏｎＲｅｌｅａｓｅまたはＲＲＣＣｏｎｎｅｃｔｉｏｎＲｅｊｅｃｔを受信するまで；または
【０１５９】
・ＵＥがＲＲＣ＿ＩＤＬＥにあり、Ｓｙｓｔｅｍｉｎｆｏｒｍａｔｉｏｎｂｌｏｃｋｔｙｐｅ２１の関連周波数に対してｖ２ｘ−ＩｎｔｅｒＦｒｅｑＩｎｆｏＬｉｓｔのｖ２ｘ−ＣｏｍｍＴｘＰｏｏｌＮｏｒｍａｌＣｏｍｍｏｎまたはｖ２ｘ−ＣｏｍｍＴｘＰｏｏｌＮｏｒｍａｌに構成された資源に対するセンシング結果が利用可能でない場合である。
【０１６０】
ステップＳ５４０においてＵＥ  ＲＲＣは、１つ以上の例外的な資源プールに対する１つ以上の搬送波を選択する。例外状況が発生する前に、１つ以上の一般資源プールまたは複数の一般資源プールに対する複数の搬送波がサイドリンク送信のために以前に選択されたならば、ＵＥ  ＲＲＣは、１つ以上の例外的資源プールまたは複数の例外的資源プールに対して複数の搬送波を選択できる。例外状況が発生する前に、１つの一般資源プールまたは１つの一般資源プールに対する１つの搬送波がサイドリンク送信のために以前に選択されたならば、ＵＥ  ＲＲＣは、１つの例外的資源プールに対する１つの搬送波または１つの例外的資源プールを選択できる。
【０１６１】
ＵＥ  ＲＲＣは、ステップＳ５００において、ネットワークから受信された情報に基づいて１つ以上の例外的資源プールまたは１つ以上の例外的プールに対する１つ以上の搬送波を選択できる。具体的に、ＵＥ  ＲＲＣは、一般資源プールと例外的資源プールとの間のマッピング関係及び／又は一般資源プールに対する搬送波と例外的資源プールに対する搬送波との間のマッピング関係に基づいて１つ以上の例外的プールに対する１つ以上の搬送波または１つ以上の例外的資源を選択できる。ＵＥ  ＲＲＣは、１つ以上の例外的資源プールに対する集成された搬送波の個数または集成された例外的資源プールの個数によって１つ以上の例外的プールに対する１つ以上の搬送波または１つ以上の例外的資源プールを選択できる。
【０１６２】
例えば、例外状況が発生する前に、特定一般資源プールまたは一般資源プールに対する特定搬送波がサイドリンク送信のために予め選択された場合、ＵＥ  ＲＲＣは、特定一般資源プールにマッピングされた例外的資源プールに対する搬送波を選択できる。または、ＵＥ  ＲＲＣは、一般資源プールに対する特定搬送波にマッピングされる例外的資源プールに対する搬送波を選択できる。例外的場合が発生する前に、ＵＥが以前に選択した一般資源プール（等）に対する搬送波は、例外的場合が発生した後にＵＥが選択する例外的資源プール（等）に対する搬送波と同一でありうる。例外的場合が発生する前にＵＥが以前に選択した一般資源プール（等）に対する搬送波の個数は、例外的場合が発生した後にＵＥが選択する例外的資源プール（等）に対する搬送波の個数と同一でありうる。
【０１６３】
または、一般資源プールと例外的資源プールとの間のマッピング関係及び／又は一般資源プールに対する搬送波と例外的資源プールに対する搬送波との間のマッピング関係は、ネットワークから受信されないことができる。マッピング関係は、全てのＵＥに対して固定されることができる。または、マッピング関係は、ＵＥのＵＳＩＭ（ｕｎｉｖｅｒｓａｌ  ｓｕｂｓｃｒｉｐｔｉｏｎ  ｉｄｅｎｔｉｆｉｃａｔｉｏｎ  ｍｏｄｕｌｅ）に事前構成及び／又は格納されることができる。
【０１６４】
ステップＳ５４１においてＵＥ  ＲＲＣは、選択された搬送波／資源プールをＵＥ  ＭＡＣに通知する。ＵＥ  ＭＡＣは、選択された搬送波／資源プールの全部または一部に対してサイドリンク資源を選択する。ステップＳ５５０において、ＵＥ  ＭＡＣは、１つ以上の搬送波／資源プールの選択された資源を利用してサイドリンク送信を行う。
【０１６５】
図６は、本開示の一実施形態に係る１つ以上の例外的資源プール上でサイドリンク送信を行う方法の他の例を図示する。上述した本開示は、この実施形態に適用されることができる。
【０１６６】
ステップＳ６００においてＵＥは、複数の搬送波を介して一般資源プール及び例外的資源プールに関する情報を受信する。情報は、一般資源プールと例外的資源プールとの間のマッピング関係に関する情報を含むことができる。情報は、一般資源プールに対する１つ以上の搬送波と例外的資源プールに対する１つ以上の搬送波との間のマッピング関係に関する情報を含むことができる。情報は、例外的資源プールに対する複数の集成された搬送波の個数または例外的資源プールの個数に関する情報を含むことができる。
【０１６７】
または、一般資源プールと例外的資源プールとの間のマッピング関係は、端末のＵＳＩＭに事前構成されたり、格納されることができる。
【０１６８】
ステップＳ６１０においてＵＥは、複数の搬送波上の一般資源プールのうち、少なくとも１つの一般資源プールを選択する。ステップＳ６２０においてＵＥは、少なくとも１つの一般資源プールを用いてサイドリンク送信を行う。
【０１６９】
ステップＳ６３０においてＵＥは、例外的な場合の発生を検出する。例外的な場合は、ＲＬＦ、ハンドオーバー、アイドル状態から連結状態への遷移、またはセル内の専用サイドリンク資源プールの変更のうち１つでありうる。
【０１７０】
ステップＳ６４０においてＵＥは、複数の搬送波上の例外的資源プールのうち、少なくとも１つの例外的資源プールを選択する。少なくとも１つの例外的資源プールは、少なくとも１つの一般資源プールにマッピングされる。少なくとも１つの一般資源プールに対する搬送波は、少なくとも１つの例外的資源プールに対する搬送波と同一でありうる。少なくとも１つの一般資源プールに対する搬送波の個数は、少なくとも１つの例外的資源プールに対する搬送波の個数と同一でありうる。
【０１７１】
ステップＳ６５０においてＵＥは、少なくとも１つの例外的資源プールを用いてサイドリンク送信を行う。
【０１７２】
図７は、本開示の実施形態が実現される無線通信システムを示す。
【０１７３】
ＵＥ（７００）は、プロセッサ（ｐｒｏｃｅｓｓｏｒ；７１０）、メモリ（ｍｅｍｏｒｙ；７２０）、及び送受信部（ｔｒａｎｓｃｅｉｖｅｒ；７３０）を備える。プロセッサ７１０は、本明細書において説明された機能、過程、及び／又は方法を実現するように構成されることができる。無線インターフェースプロトコルの階層は、プロセッサ７１０により実現されることができる。メモリ７２０は、プロセッサ７１０と連結されて、プロセッサ７１０を駆動するための様々な情報を格納する。送受信部７３０は、プロセッサ７１０と連結されて、無線信号を送信及び／又は受信する。
【０１７４】
ネットワークノード８００は、プロセッサ８１０、メモリ８２０、及び送受信部８３０を備える。プロセッサ８１０は、本明細書において説明された機能、過程、及び／又は方法を実現するように構成されることができる。無線インターフェースプロトコルの階層は、プロセッサ８１０により実現されることができる。メモリ８２０は、プロセッサ８１０と連結されて、プロセッサ８１０を駆動するための様々な情報を格納する。送受信部８３０は、プロセッサ８１０と連結されて、無線信号を送信及び／又は受信する。
【０１７５】
プロセッサ７１０、８１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を含むことができる。メモリ７２０、８２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を含むことができる。送受信部７３０、８３０は、無線周波数信号を処理するためのベースバンド回路を含むことができる。実施形態がソフトウェアで実現されるとき、上述した技法は、上述した機能を果たすモジュール（過程、機能など）で実現されることができる。モジュールは、メモリ７２０、８２０に格納され、プロセッサ７１０、８１０により実行されることができる。メモリ７２０、８２０は、プロセッサ７１０、８１０内部または外部にあることができ、よく知られた様々な手段でプロセッサ７１０、８１０と連結されることができる。
【０１７６】
前述した例示的なシステムにおいて、前述した本発明の特徴によって実現されることができる方法は、順序図に基づいて説明された。都合上、方法は、一連のステップまたはブロックで説明されたが、請求された本発明の特徴は、ステップまたはブロックの順序に限定されるものではなく、あるステップは、他のステップと前述したことと異なる順序で、または同時に発生することができる。また、当業者であれば、順序図に示したステップが排他的でなく、他のステップが含まれるか、または順序図の１つまたはそれ以上のステップが本発明の範囲に影響を及ぼさずに削除可能であることを理解することができる。
【図１】
2020528709.tif 000003
【図２】
2020528709.tif 000004
【図３】
2020528709.tif 000005
【図４】
2020528709.tif 000006
【図５】
2020528709.tif 000007
【図６】
2020528709.tif 000008
【図７】
2020528709.tif 000009
【国際調査報告】
2020528709.tif 000010
2020528709.tif 000011